【手続補正書】
【提出日】平成30年1月15日(2018.1.15)
【手続補正１】
【補正対象書類名】明細書
【補正対象項目名】０１８２
【補正方法】変更
【補正の内容】
【０１８２】
値及び範囲が本明細書に提供されている場合はいつでも、これらの値及び範囲によって包含される全ての値及び範囲が本発明の範囲内に包含されることが意図されることが、理解される。さらにこれらの範囲内、及び値の範囲の上限または下限内にある全ての値も、本出願によって意図される。以下、本発明の実施形態の例を列記する。
［１］
洗浄される表面から低温で汚れを除去するための水性発泡性洗浄組成物であって、
前記水性発泡性洗浄組成物は：
−直鎖及び／または分岐鎖Ｃ１２アルキルジメチルアミンオキシドもしくはＣ１２アルキルジエチルアミンオキシド、またはＣ１２アルキルメチルエチルアミンオキシドと；
−直鎖及び／または分岐鎖Ｃ１４アルキルジメチルアミンオキシドもしくはＣ１４アルキルジエチルアミンオキシド、またはＣ１４アルキルメチルエチルアミンオキシドと；
−少なくとも一つのアニオン性界面活性剤と；
−アルカリ性源と；
−水と、を含み、
前記アニオン性界面活性剤は：
−ドデシル（オキシエチレン）ｗスルフェート（式中、ｗは、約１〜約１０の範囲にわたる平均モル数を表す）、ならびに／または
−以下の式（Ｉ）によって表される少なくとも１つのポリオキシアルキレンアルキルエーテルカルボン酸もしくはその塩、であり、
ＲＯ−（ＡＯ）ｎ−１−Ａ’−ＣＯＯｍＭ          （Ｉ）
式中、
Ｒは、約８〜約１８個の炭素原子を有する直鎖及び／もしくは分岐鎖アルキル基を表し、
ＡＯは、約２〜約４個の炭素原子を有するアルキレンオキシ基を表し、
ｎは、約１〜約２０の範囲にわたる平均モル数を表し
Ａ’は、約１〜約３個の炭素原子を有するアルキレン基を表し
Ｍは、Ｈもしくはカチオンを表し、
ｍは、Ｍの価電子数と等しい数を表す、水性発泡性洗浄組成物。
［２］
前記Ｃ１２アルキルジメチルアミンオキシド対前記Ｃ１４アルキルジメチルアミンオキシドの重量％比は、約１０：１〜約１：１０、好ましくは約５：１〜約１：５、さらに好ましくは４：１〜約１：４、及び加えて好ましくは約３：１〜約１：３であり、前記重量％は、前記組成物の総重量に基づく、項目１に記載の組成物。
［３］
−ラウリルジメチルアミンオキシドと；
−テトラデシルジメチルアミンオキシドと；
−少なくとも１つのアニオン性界面活性剤と、を含み、
前記アニオン性界面活性剤は：
−ドデシル（オキシエチレン）ｗスルフェート（式中、ｗは、約１〜約１０、好ましくは約２〜約８、及びより好ましくは約３〜約５の範囲にわたる平均モル数を表す）、ならびに／または
−式（Ｉ）によって表される少なくとも１つのポリオキシアルキレンアルキルエーテルカルボン酸もしくはその塩、であり、
式中、
Ｒは、約１０〜約１６個の炭素原子、及びより好ましくは約１２〜約１４個の炭素原子を有する直鎖及び／もしくは分岐鎖アルキル基を表し、
ＡＯは、２〜約３個の炭素原子、及びより好ましくは約２個の炭素原子を有するアルキレンオキシ基を表し、
ｎは、２〜約１０、及びより好ましくは約３〜約５の範囲にわたる平均モル数を表し、
Ａ’は、約１〜２個の炭素原子、及びより好ましくは約１個の炭素原子を有するアルキレン基を表し、
Ｍは、Ｈもしくはカチオンを表し、
ｍは、Ｍの価電子数と等しい数を表す、項目１または２に記載の組成物。
［４］
ａ）前記アミンオキシドの総量対ｂ）前記アニオン性界面活性剤の総量の重量％比は、約１：４〜約１：０．２、好ましくは約１：３〜約１：０．３、さらにより好ましくは約１：０．８〜約１：０．４の範囲であり、前記重量％は、前記組成物の総重量に基づく、項目１〜３のいずれか一項に記載の組成物。
［５］
前記水性発泡性洗浄組成物は、アルカリ性源を含み、前記アルカリ性源は、アルカリ金属水酸化物、アルカリ金属塩、ホスフェート、アミン、及びそれらの混合物、好ましくは、水酸化ナトリウム、水酸化カリウム、及び水酸化リチウムを含むアルカリ金属水酸化物を含むか、または混合物であり、最も好ましくは前記アルカリ性源は、水酸化ナトリウムである、項目１〜４のいずれか一項に記載の組成物。
［６］
前記水性発泡性洗浄組成物は、ヒドロトロープ、好ましくはクメンスルホネートを含む、項目１〜５のいずれか一項に記載の組成物。
［７］
前記水性発泡性洗浄組成物は、ポリマーポリカルボキシレート、好ましくは約５００Ｍｗ〜約５００００Ｍｗ、好ましくは約１０００Ｍｗ〜約２００００Ｍｗ、加えて好ましくは約３０００Ｍｗ〜約１００００Ｍｗ、及びより好ましくは約４０００Ｍｗ〜約６０００Ｍｗの分子量を有するポリアクリレートを含み、前記ポリマーポリカルボキシレートの前記分子量は、完全に中和されたナトリウムポリマーポリカルボキシレート（ｓｏｄｉｕｍ  ｐｏｌｙｍｅｒｉｃ  ｐｏｌｙｃａｒｂｏｘｙｌａｔｅ）に基づく、項目１〜６のいずれか一項に記載の組成物。
［８］
−約０．１重量％以上〜約１０重量％以下、好ましくは約０．２重量％以上〜約５重量％以下、及びさらに好ましくは約０．５重量％以上〜約１重量％以下の、直鎖及び／または分岐鎖Ｃ１２アルキルジメチルアミンオキシドの混合物、ならびに直鎖及び／または分岐鎖Ｃ１４アルキルジメチルアミンオキシドの混合物と；
−少なくとも１つのアニオン性界面活性剤と；
−約０．５重量％以上〜約１０重量％以下、好ましくは約１重量％以上〜約８重量％以下、及びさらに好ましくは約２重量％以上〜約５重量％以下の、アルカリ性源、好ましくは水酸化ナトリウムと；
−約６０重量％以上、好ましくは約７０重量％以上、及びさらに好ましくは約８５重量％以上〜約９２重量％以下の水と、を含む、濃縮組成物であって、
前記アニオン性界面活性剤は：
−約０．１重量％以上〜約１０重量％以下、好ましくは約０．２重量％以上〜約５重量％以下、及びさらに好ましくは約０．３重量％以上〜約１重量％以下の、ドデシル（オキシエチレン）ｗスルフェート（式中、ｗは、約１〜約１０、好ましくは約２〜約８、及びより好ましくは約３〜約５の範囲にわたる平均モル数を表す）、ならびに／あるいは
−約０．１重量％以上〜約１０重量％以下、好ましくは約０．２重量％以上〜約５重量％以下、及びさらに好ましくは約０．５重量％以上〜約２重量％以下の式（Ｉ）で表される少なくとも１つのポリオキシアルキレンアルキルエーテルカルボン酸もしくはその塩、またはその混合物、であり、
前記構成成分の前記重量％は前記組成物の総重量に基づき、前記構成成分は、前記濃縮組成物の前記構成成分の総重量が１００重量％を超えないように選択される、項目１〜７のいずれか一項に記載の組成物。
［９］
−約０．１重量％以上〜約１０重量％以下、好ましくは約０．２重量％以上〜約５重量％以下、及びさらに好ましくは約０．５重量％以上〜約１重量％以下の直鎖及び／または分岐鎖Ｃ１２アルキルジメチルアミンオキシドの混合物、ならびに直鎖及び／または分岐鎖Ｃ１４アルキルジメチルアミンオキシドの混合物と；
−少なくとも１つのアニオン性界面活性剤と；
−約０．５重量％以上〜約１０重量％以下、好ましくは約１重量％以上〜約８重量％以下、及びさらに好ましくは約２重量％以上〜約５重量％以下のアルカリ性源、好ましくは水酸化ナトリウムと；
−約０重量％以上〜約１０重量％以下、好ましくは約１重量％以上〜約５重量％以下、及びより好ましくは約２重量％以上〜約４重量％以下のヒドロトロープ、好ましくはクメンスルホネートと；
−約０重量％以上〜約５重量％以下、好ましくは約０．５重量％以上〜約２重量％以下、及びより好ましくは約０．７重量％以上〜約１重量％以下のポリカルボキシレート、好ましくはポリアクリレートと；
−約４５重量％以上、好ましくは約７０重量％以上、及びさらに好ましくは約８５重量％以上〜約９２重量％以下の水と、を含む、濃縮水性発泡性洗浄組成物であって、
前記アニオン性界面活性剤は：
−約０．１重量％以上〜約１０重量％以下、好ましくは約０．２重量％以上〜約５重量％以下、及びさらに好ましくは約０．３重量％以上〜約１重量％以下のドデシル（オキシエチレン）ｗスルフェート（式中、ｗは、１〜１０、好ましくは約２〜約８、及びより好ましくは約３〜約５の範囲にわたる平均モル数を表す）、ならびに／あるいは
−約０．１重量％以上〜約１０重量％以下、好ましくは約０．２重量％以上〜約５重量％以下、及びさらに好ましくは約０．５重量％以上〜約２重量％以下の式（Ｉ）で表される少なくとも１つのポリオキシアルキレンアルキルエーテルカルボン酸もしくはその塩、またはその混合物、であり、
前記構成成分の前記重量％は前記組成物の総重量に基づき、前記構成成分は、前記組成物の全ての構成成分の総重量が１００重量％を越えないように選択される、項目１〜８のいずれか一項に記載の水性発泡性洗浄組成物。
［１０］
−約０．００２重量％以上〜約０．２重量％以下、好ましくは約０．００４重量％以上〜約０．１重量％以下、及びさらに好ましくは約０．０１重量％以上〜約０．０２重量％以下の直鎖及び／または分岐鎖Ｃ１２アルキルジメチルアミンオキシドの混合物、ならびに直鎖及び／または分岐鎖Ｃ１４アルキルジメチルアミンオキシドの混合物と；
−少なくとも１つのアニオン性界面活性剤と；
−約０．０１重量％以上〜約０．２重量％以下、好ましくは約０．０２重量％以上〜約０．１６重量％以下、及びさらに好ましくは約０．０４重量％以上〜約０．１重量％以下のアルカリ性源、好ましくは水酸化ナトリウムと；
−約０重量％以上〜約０．２重量％以下、好ましくは約０．０２重量％以上〜約０．１重量％以下、及びより好ましくは約０．０４重量％以上〜約０．０８重量％以下のヒドロトロープ、好ましくはクメンスルホネートと；
−約０重量％以上〜約０．１重量％以下、好ましくは約０．０１重量％以上〜約０．０４重量％以下、及びより好ましくは約０．０１４重量％以上〜約０．０２重量％以下のポリカルボキシレート、好ましくは約４０００Ｍｗ〜約６０００Ｍｗを有するポリアクリレートと；
−約９８重量％以上、好ましくは約９９重量％以上、及びさらに好ましくは約９９．９重量％以上の水と、を含む、希釈水性発泡性洗浄組成物であって、
前記アニオン性界面活性剤は：
−約０．００２重量％以上〜約０．２重量％以下、好ましくは約０．００４重量％以上〜約０．１重量％以下、及びさらに好ましくは約０．００６重量％以上〜約０．０２重量％以下のドデシル（オキシエチレン）ｗスルフェート（式中、ｗは、１〜１０、好ましくは約２〜約８、及びより好ましくは約３〜約５の範囲にわたる平均モル数を表す）、ならびに／あるいは
−約０．００２重量％以上〜約０．２重量％以下、好ましくは約０．００４重量％以上〜約０．１重量％以下、及びさらに好ましくは約０．０１重量％以上〜約０．０４重量％以下の式（Ｉ）で表される少なくとも１つのポリオキシアルキレンアルキルエーテルカルボン酸もしくはその塩、またはそれの混合物、であり、
前記構成成分の前記重量％は、前記組成物の総重量に基づき、前記構成成分は、前記組成物の全ての構成成分の総重量が１００重量％を越えないように選択される、項目１〜９のいずれか一項に記載の水性発泡性洗浄組成物。
［１１］
前記水性発泡性洗浄組成物は、約７．０〜約１４．０の範囲のｐＨ、好ましくは約９．５〜約１３．０の範囲のｐＨ、及びより好ましくは約１１．０〜約１２．５の範囲のｐＨを有する、項目１〜１０のいずれか一項に記載の水性発泡性洗浄組成物。
［１２］
項目１〜１１に記載の構成成分を含む、泡組成物。
［１３］
泡安定性を有し、最初の泡の体積に基づいて、１分後の泡の体積の減少は約１０体積％〜２０体積％であり、２分後は約１５体積％〜２５体積％であり、５分後は約１５体積％〜２５体積％であり、１０分後は約２０体積％〜３０体積％である、項目１２に記載の泡組成物。
［１４］
１０μｍ以上〜約２０００μｍ以下、好ましくは８０μｍ以上〜約１０００μｍ以下、及びより好ましくは１００μｍ以上〜約３００μｍ以下の範囲の平均泡直径の気孔径Ｄ５０を有する、項目１２または１３に記載の泡組成物。
［１５］
洗浄される表面から汚れを除去するための方法であって、項目１〜１１のいずれか一項に記載の組成物を、前記表面に適用することを含む、方法。
［１６］
ａ）前記洗浄される表面上の汚れに実質的に浸透し、かつ／または前記洗浄される表面上の汚れを予め洗浄するのに十分な時間、前記洗浄される表面に前処理液、好ましくは水を、任意に適用することと、
ｂ）項目１〜１１のいずれか一項に記載の組成物を、前記洗浄される表面を洗浄するための時間、前記洗浄される表面に適用することと、
ｃ）前記適用（ａ）及び／または（ｂ）の前及び／または後に、任意のすすぎステップと、を含む、項目１５に記載の方法。
［１７］
項目１〜１４のいずれか一項に記載の組成物の使用であって、洗浄される表面から汚れを除去するため、好ましくは分解洗浄システムの表面から汚れを除去するための、使用。
【手続補正２】
【補正対象書類名】特許請求の範囲
【補正対象項目名】全文
【補正方法】変更
【補正の内容】
【特許請求の範囲】
【請求項１】
洗浄される表面から低温で汚れを除去するための水性発泡性洗浄組成物であって、
前記水性発泡性洗浄組成物は：
直鎖及び／または分岐鎖Ｃ１２アルキルジメチルアミンオキシドもしくはＣ１２アルキルジエチルアミンオキシド、またはＣ１２アルキルメチルエチルアミンオキシドと；
直鎖及び／または分岐鎖Ｃ１４アルキルジメチルアミンオキシドもしくはＣ１４アルキルジエチルアミンオキシド、またはＣ１４アルキルメチルエチルアミンオキシドと；
少なくとも一つのアニオン性界面活性剤と；
アルカリ性源と；
水と、を含み、
前記アニオン性界面活性剤は：
ドデシル（オキシエチレン）ｗスルフェート（式中、ｗは、約１〜約１０の範囲にわたる平均モル数を表す）、ならびに
以下の式（Ｉ）によって表される少なくとも１つのポリオキシアルキレンアルキルエーテルカルボン酸もしくはその塩、であり、
ＲＯ−（ＡＯ）ｎ−１−Ａ’−ＣＯＯｍＭ          （Ｉ）
式中、
Ｒは、約８〜約１８個の炭素原子を有する直鎖及び／もしくは分岐鎖アルキル基を表し、
ＡＯは、約２〜約４個の炭素原子を有するアルキレンオキシ基を表し、
ｎは、約１〜約２０の範囲にわたる平均モル数を表し
Ａ’は、約１〜約３個の炭素原子を有するアルキレン基を表し
Ｍは、Ｈもしくはカチオンを表し、
ｍは、Ｍの価電子数と等しい数を表す、水性発泡性洗浄組成物。
【請求項２】
前記Ｃ１２アルキルジメチルアミンオキシド対前記Ｃ１４アルキルジメチルアミンオキシドの重量％比は、約１０：１〜約１：１０であり、前記重量％は、前記組成物の総重量に基づく、請求項１に記載の組成物。
【請求項３】
Ｎ−ラウリル−Ｎ，Ｎ−ジメチルアミンオキシドと；
Ｎ−テトラデシル−Ｎ，Ｎ−ジメチルアミンオキシドと；
少なくとも１つのアニオン性界面活性剤と、を含み、
前記アニオン性界面活性剤は：
ドデシル（オキシエチレン）ｗスルフェート（式中、ｗは、約１〜約１０の範囲にわたる平均モル数を表す）、ならびに
式（Ｉ）によって表される少なくとも１つのポリオキシアルキレンアルキルエーテルカルボン酸もしくはその塩、であり、
式中、
Ｒは、約１０〜約１６個の炭素原子を有する直鎖及び／もしくは分岐鎖アルキル基を表し、
ＡＯは、２〜約３個の炭素原子、及びより好ましくは２個の炭素原子を有するアルキレンオキシ基を表し、
ｎは、２〜約１０の範囲にわたる平均モル数を表し、
Ａ’は、約１〜２個の炭素原子を有するアルキレン基を表し、
Ｍは、Ｈもしくはカチオンを表し、
ｍは、Ｍの価電子数と等しい数を表す、請求項１または２に記載の組成物。
【請求項４】
前記アミンオキシドの総量対前記アニオン性界面活性剤の総量の重量％比は、約１：４〜約１：０．４の範囲であり、前記重量％は、前記組成物の総重量に基づく、請求項１〜３のいずれか一項に記載の組成物。
【請求項５】
前記水性発泡性洗浄組成物は、アルカリ性源を含み、前記アルカリ性源は、アルカリ金属水酸化物、アルカリ金属塩、ホスフェート、アミン、及びそれらの混合物を含む、請求項１〜４のいずれか一項に記載の組成物。
【請求項６】
前記水性発泡性洗浄組成物は、ヒドロトロープ、例えばクメンスルホネートを含む、請求項１〜５のいずれか一項に記載の組成物。
【請求項７】
前記水性発泡性洗浄組成物は、約５００Ｍｗ〜約５００００Ｍｗの分子量を有するポリマーポリカルボキシレートを含み、前記ポリマーポリカルボキシレートの前記分子量は、完全に中和されたナトリウムポリマーポリカルボキシレート（ｓｏｄｉｕｍ  ｐｏｌｙｍｅｒｉｃ  ｐｏｌｙｃａｒｂｏｘｙｌａｔｅ）に基づく、請求項１〜６のいずれか一項に記載の組成物。
【請求項８】
約０．１重量％以上〜約１０重量％以下の、直鎖及び／または分岐鎖Ｃ１２アルキルジメチルアミンオキシドの混合物、ならびに直鎖及び／または分岐鎖Ｃ１４アルキルジメチルアミンオキシドの混合物と；
少なくとも１つのアニオン性界面活性剤と；
約０．５重量％以上〜約１０重量％以下の、アルカリ性源と；
約６０重量％超の水と、を含む、濃縮組成物であって、
前記アニオン性界面活性剤は：
約０．１重量％以上〜約１０重量％以下の、ドデシル（オキシエチレン）ｗスルフェート（式中、ｗは、約１〜約１０の範囲にわたる平均モル数を表す）、ならびに
約０．１重量％以上〜約１０重量％以下の式（Ｉ）で表される少なくとも１つのポリオキシアルキレンアルキルエーテルカルボン酸もしくはその塩、またはその混合物、であり、
前記構成成分の前記重量％は前記組成物の総重量に基づき、前記構成成分は、前記濃縮組成物の前記構成成分の総重量が１００重量％を超えないように選択される、請求項１〜７のいずれか一項に記載の組成物。
【請求項９】
約０．１重量％以上〜約１０重量％以下の直鎖及び／または分岐鎖Ｃ１２アルキルジメチルアミンオキシドの混合物、ならびに直鎖及び／または分岐鎖Ｃ１４アルキルジメチルアミンオキシドの混合物と；
少なくとも１つのアニオン性界面活性剤と；
約０．５重量％以上〜約１０重量％以下のアルカリ性源と；
約０重量％以上〜約１０重量％以下のヒドロトロープ、例えばクメンスルホネートと；
約０重量％以上〜約５重量％以下のポリカルボキシレート、例えばポリアクリレートと；
約４５重量％超の水と、を含む、濃縮水性発泡性洗浄組成物であって、
前記アニオン性界面活性剤は：
約０．１重量％以上〜約１０重量％以下のドデシル（オキシエチレン）ｗスルフェート（式中、ｗは、１〜１０の範囲にわたる平均モル数を表す）、ならびに
約０．１重量％以上〜約１０重量％以下の式（Ｉ）で表される少なくとも１つのポリオキシアルキレンアルキルエーテルカルボン酸もしくはその塩、またはその混合物、であり、
前記構成成分の前記重量％は前記組成物の総重量に基づき、前記構成成分は、前記組成物の全ての構成成分の総重量が１００重量％を越えないように選択される、請求項１〜８のいずれか一項に記載の水性発泡性洗浄組成物。
【請求項１０】
約０．００２重量％以上〜約０．２重量％以下の直鎖及び／または分岐鎖Ｃ１２アルキルジメチルアミンオキシドの混合物、ならびに直鎖及び／または分岐鎖Ｃ１４アルキルジメチルアミンオキシドの混合物と；
少なくとも１つのアニオン性界面活性剤と；
約０．０１重量％以上〜約０．２重量％以下のアルカリ性源と；
約０重量％以上〜約０．２重量％以下のヒドロトロープ、例えばクメンスルホネートと；
約０重量％以上〜約０．１重量％以下の、約４０００Ｍｗ〜約６０００Ｍｗを有するポリカルボキシレートと；
約９８重量％〜約９９．９重量％の水と、を含む、希釈水性発泡性洗浄組成物であって、
前記アニオン性界面活性剤は：
約０．００２重量％以上〜約０．２重量％以下のドデシル（オキシエチレン）ｗスルフェート（式中、ｗは、１〜１０の範囲にわたる平均モル数を表す）、ならびに
約０．００２重量％以上〜約０．２重量％以下の式（Ｉ）で表される少なくとも１つのポリオキシアルキレンアルキルエーテルカルボン酸もしくはその塩、またはそれの混合物、であり、
前記構成成分の前記重量％は、前記組成物の総重量に基づき、前記構成成分は、前記組成物の全ての構成成分の総重量が１００重量％を越えないように選択される、請求項１〜９のいずれか一項に記載の水性発泡性洗浄組成物。
【請求項１１】
前記水性発泡性洗浄組成物は、約７．０〜約１４．０の範囲のｐＨを有する、請求項１〜１０のいずれか一項に記載の水性発泡性洗浄組成物。
【請求項１２】
請求項１〜１１に記載の構成成分を含む、泡組成物。
【請求項１３】
泡安定性を有し、最初の泡の体積に基づいて、１分後の泡の体積の減少は約１０体積％〜２０体積％であり、２分後は約１５体積％〜２５体積％であり、５分後は約１５体積％〜２５体積％であり、１０分後は約２０体積％〜３０体積％である、請求項１２に記載の泡組成物。
【請求項１４】
１０μｍ以上〜約２０００μｍ以下の範囲の平均泡直径の気孔径Ｄ５０を有する、請求項１２または１３に記載の泡組成物。